(57)【特許請求の範囲】
【請求項１】
内容物を収納する凹部とその周縁にフランジ部を有するトレーと、トレー開口部とフランジ部を覆い、フランジ部の外縁よりも大きな外縁を有する蓋体と、該蓋体の外縁と略同じ外縁を有し、その内縁は少なくともフランジ部を被覆しうる形状を有する被覆材とからなり、内容物を凹部に収納したトレーの開口部側に蓋体を載置し、被覆材で蓋体とともにフランジ部を挟みフランジ部の外縁の外側において蓋体とヒートシールするブリスター形式の包装体において、
少なくとも、前記被覆材が、少なくとも、基材層と、２軸延伸ポリエステルフィルムと、ポリエチレン層との積層体からなり、
更に、前記２軸延伸ポリエステルフィルムと前記ポリエチレン層との接着面の接着強度が５０ｇ／１５ｍｍ巾〜５００ｇ／１５ｍｍ巾である易剥離性積層体からなり、
そして、前記被覆材を、そのポリエチレン層の面を上記蓋体側に位置させて、そのポリエチレン層を介して、蓋体とともにトレ−のフランジ部を挟み、そのフランジ部の外縁の外側において蓋体とヒートシールするブリスター形式の包装体を構成すること
を特徴とする易開封ブリスター包装体。
【請求項２】
前記基材層が紙であることを特徴とする請求項１記載の易開封ブリスター包装体。
【請求項３】
前記蓋体が易剥離性積層体からなることを特徴とする請求項１または請求項２記載の易開封ブリスター包装体。
【発明の詳細な説明】
【０００１】
【発明の属する技術分野】
本発明は、易開封性のブリスターに関する。
【０００２】
【従来の技術】
家庭雑貨品、調理器具、小型電気製品、小型玩具、チューブ入り化粧品や接着剤、鋏、剃刀、ホッチキス等の文具等多くの商品がブリスター包装されている。例えば、図６は、従来のブリスター包装体Ｂ’の例を示す図であり、（ａ）斜視図、（ｂ）および（ｃ）は開封前、開封後のＸ3−Ｘ3部のそれぞれの断面図である。
このブリスター包装体Ｂ’の例は、トレー１’、蓋体１０’、そして、トレーのフランジ部を蓋体１０’ともに挟持する被覆材２０’からなるものがある。
【０００３】
【発明が解決しようとする課題】
従来のブリスター包装においては、トレーと蓋体とからなり、トレーのフランジ部と蓋体とが強固に接着されたものが多かった。このようなブリスター包装においては、包装された内容物を取出すために、蓋体をトレーから剥離するが、この際開封するときに紙層において凝集破壊したり、接着が強くて、鋏などを用いて蓋体を切断して内容物を取出すこともあった。
また、印刷が蓋体の表が主体となって必ずしも表示が見やすいとは言えなかった。つまり、内容物側と情報印刷面とが裏表となっていた。
また、前記図６（ａ）に示すような、蓋体１０’と被覆材２０’とにより、トレー１’のフランジ部３’を挟んでヒートシールする方法がある。該ヒートシールは、蓋体１０’、被覆材２０’にヒートシール剤を塗布し形成したヒートシール層により接着していた。この構成のブリスターを開封すると、図６（ｃ）に示すように、蓋体１０’または被覆材２０’のいずれかの紙層の凝集破壊となって紙表面に印刷された絵柄や文字が判読できなくなることが多かった。
本発明の目的は、開封しやすく、印刷情報の見やすい構造を有するブリスター包装体を提供することである。
【０００４】
【課題を解決するための手段】
本発明は、内容物を収納する凹部とその周縁にフランジ部を有するトレーと、トレー開口部とフランジ部を覆い、フランジ部の外縁よりも大きな外縁を有する蓋体と、外蓋体の外縁と略同じ外縁を有し、その内縁は少なくともフランジ部を被覆し得る形状を有する被覆材とからなり、内容物を凹部に収納したトレーの開口部側に蓋体を載置し、被覆材で蓋体とともにフランジ部を挟みフランジ部の外縁の外側において蓋体とヒートシールするブリスター形式の包装において、少なくとも、前記被覆材が基材層、２軸延伸ポリエステルフィルム、ポリエチレン層からなり、前記２軸延伸ポリエステルフィルムと前記ポリエチレンとの接着面の接着強度が５０ｇ／１５ｍｍ巾〜５００ｇ／１５ｍｍ巾である易剥離性積層体であることを特徴とする易開封ブリスター包装体であって、前記基材層が紙であることを含み、また、被覆材および蓋体が易剥離性積層体から構成されてもよい。
【０００５】
【発明の実施の形態】
本発明の易開封ブリスター包装体は、トレーのフランジ部を蓋体と被覆材により挟持した状態でヒートシールして固定したブリスター容器であり、少なくとも被覆材を構成する複合フィルムの積層体に易剥離面が含まれていることを特徴とするものである。
図１は、本発明の易開封ブリスター包装体の実施例を示す図で、（ａ）包装状態の斜視図、（ｂ）Ｘ1−Ｘ1部断面図、（ｃ）各部材を分離して示した図、（ｄ）Ｘ2−Ｘ2部断面図である。図２は、被覆材の構造を示す断面図である。図３は、本発明のブリスター包装体を開封したときの剥離状態を説明するための、Ｙ部の拡大図であり、（ａ）開封前、（ｂ）開封時の状態を示す。図４は、本発明の別のブリスター包装体を開封したときの剥離状態を説明するための、Ｙ部の拡大図であり、（ａ）開封前、（ｂ）開封時の状態を示す。図５は、本発明の易開封ブリスター包装体を開封する時の各層の状態を説明する断面図である。
【０００６】
本発明者は、本発明の開封しやすく、印刷情報の見やすい構造を有するブリスター包装を得るために、その包装材料と構造について鋭意研究した結果、内容物を収納する凹部とその周縁にフランジ部を有するトレーと、トレー開口部とフランジ部を覆い、フランジ部の外縁よりも大きな外縁を有する蓋体と、該蓋体の外縁と略同じ外縁を有し、その内縁は少なくともフランジ部を被覆し得る形状を有する被覆材とを用い、内容物を凹凸に収納したトレーの開口部側に蓋体を載置し、被覆材で蓋体とともにフランジ部を挟みフランジ部の外縁の外側において蓋体とヒートシールする構造のブリスター包装体において、少なくとも、前記被覆材が基材層、２軸延伸ポリエステルフィルム、ポリエチレン層からなり、前記２軸延伸ポリエステルフィルムと前記ポリエチレンとの接着面の接着強度が５０ｇ／１５ｍｍ巾〜５００ｇ／１５ｍｍ巾である易剥離性積層体とすることによって前記課題を解決できることを見出し本発明を完成するに到った。
【０００７】
本発明の易開封ブリスター包装体Ｂは、図１（ｃ）に示すように、内容物Ｐを収納する凹部２を形成し、かつ、周縁にフランジ部３を有するトレー１、凹部２を被覆しその外縁は、トレー１のフランジ部３の外縁４よりも大きい外縁１１を有する蓋体１０、そして、蓋体１０の外縁１１と略同じ外縁２１を有し、その内縁は少なくともフランジ部３を被覆しうる形状を有する被覆材２０ととする。
【０００８】
そして、前記被覆材２０は、図２に示すような構成の易剥離性積層体３０からなり、少なくとも、基材層３１、２軸延伸ポリエステルフィルム３２、低密度ポリエチレン３３の３層からなる。基材層３１には印刷３４を施してもよい。前記易剥離性積層体の易剥離は、前記２軸延伸ポリエステルフィルム３２と低密度ポリエチレン３３との接着界面であり、前記２軸延伸ポリエステルフィルム３２と低密度ポリエチレン層３３とのラミネート強度を１００から２００ｇ／１５ｍｍ巾とするものである。
【０００９】
本発明の易開封ブリスター包装体Ｂは、前記トレー１に内容物Ｐを収納し、蓋体１０でその開口部を覆い、蓋体１０と被覆材２０とによってトレー１のフランジ部３を挟み、蓋体１０と被覆材２０とを加圧加熱してヒートシールすることによって形成される。
【００１０】
得られた本発明の易開封ブリスターＢを開封する為に、図１（ａ）に示すように、ブリスターパックの周縁の一部に開封用つまみ部Ｔを設け開封開始部とする。該開封用つまみ部Ｔにおいては、図５に示すように非シール部ＮＳを設ける。開封に際しては、前記開封用つまみ部Ｔの非シール部ＮＳの蓋体１０と被覆材２０とを摘んで、蓋体１０から被覆材２０を剥離すると、被覆材２０の２軸延伸ポリエステルフィルム３２とポリエチレン層３３との間が、容易に剥離するためトレー１がフリー状態となり内容物は容易に取出すことができる。このとき、図３（ｂ）に示すように、被覆材２０のポリエチレン層は３３、前記ヒートシールの際の加熱加圧により、トレーフランジの外縁部にてフランジ部の段差によって断裂状態の損傷部６が形成され、蓋体とヒートシールされた領域は蓋体側に転移し、前記損傷部６よりも内側部分は、被覆材側に接着したままとなる。
【００１１】
本発明の易開封ブリスター包装体Ｂにおけるトレー１の成形は、プラスチックシートを真空成形、圧空成形、真空圧空成形、インジェクション成形等の方法を用いて成形することができる。
従来のブリスター包装においては、蓋体または、蓋体に塗布されたヒートシール層に対してヒートシール性が必要であったが、本発明においては、蓋体に対するトレーとしてのヒートシール性は不要である。本発明の易開封ブリスターに用いるトレーの材質としては、ポリプロピレン、ポリスチレン、ポリ塩化ビニール、ポリエチレンテレフタレート、ポリカーボネート、ポリアクリロニトリル等が利用できる。
【００１２】
本発明の易開封ブリスター包装体Ｂにおける蓋体１０の材質としては、紙単層であっても良いし、また、紙と他の素材との積層体であっても良い。そして、蓋体１０のトレー１側の面は被覆材の低密度ポリエチレン層に対してヒートシール性を有する材質とする。また、図４（ａ）または図４（ｂ）に示すように、蓋体１０としても、被覆材２０と同じ易剥離性積層体を用いることもできる。蓋体１０としては、剛性を有し、トレーに載置する際にカールのないシートであることが好ましい。
【００１３】
本発明の被覆材についてさらに詳細に説明する。被覆材は、図２に示すように、基材３１と易剥離ラミネート体とを貼り合わせた易剥離性積層体である。
【００１４】
前記易剥離性積層体における易剥離ラミネート体は、有極性合成樹脂基材層と無極性合成樹脂層とのラミネート体であって、前記量層のラミネート界面の接着強度が易剥離状態にコントロールしたものである。
ブリスターの端部に設けた摘み部から被覆材と蓋体とを分離しようとすると、断裂部から２軸延伸ポリエステルフィルムとポリエチレン層との間、前記易剥離面が剥離し、薄いポリエチレンの膜、２軸延伸ポリエステルフィルム面に接着した状態となるため、成形品は固定状態が完全に解除される。
【００１５】
【実施例】
本発明の易開封ブリスター包装体について、実施例によりさらに具体的に説明する。
［実施例１］
被覆材に用いる易剥離性積層体は、まず、ＰＥＴ１２μｍ基材（東洋紡績株式会社製  ＰＥＴフィルム：Ｅ５１００）に押出し機よりＰＥ７μｍ（三井化学株式会社製  ポリエチレン樹脂：ミラソン１１Ｐ）を押出し温度２８０℃にて押出しコートし、ＰＥＴ１２μｍ／ＰＥ７μｍの易剥離ラミネート体を作成した。
別に、基材層としてコートボール紙（坪量：４００ｇ／■）を用い、前記易剥離ラミネート体の２軸延伸ポリエステルフィルムの非ラミネート面（ポリエステル面）をコロナ処理し、該コロナ処理面に接着剤（アクリル系水性接着剤：東京インキ株式会社製；ＳＡ−Ｔ６１０Ｗ、接着剤の塗布量１０ｇ／■）を塗布し、前記基材層であるコートボール紙とウェットラミネートし易剥離性積層体を得た。
次に、得られた易剥離性積層体を所定の大きさに打ち抜きして被覆材とした。また、トレーとしては、無延伸ポリエステルシートを真空成形した。
蓋体としは、前記基材層と同じコートボール紙（坪量：４００ｇ／■）を用い、その内容物側にオフセット印刷方式により絵柄を設けた。
トレーに内容物である玩具を収納し、蓋体でトレーの開口部を被覆し、トレーフランジ部を蓋体と前述の打ち抜きした被覆材により挟持した状態でヒートシールして、ブリスターパック包装体の実施例１を得た。
＜シール面の層構成＞
（被覆材側）厚紙／ＰＥＴ１２／・／ＰＥ７／Ｓ／厚紙（蓋体側）
（ＰＥＴは２軸延伸ポリエステルフィルム、・は易剥離面を示す、Ｓはヒートシール面を示す、以下同じ）
＜トレーフランジ部分のシール面の層構成＞
（被覆材側）厚紙／ＰＥＴ１２／・／ＰＥ７／Ｓ／トレーフランジ部／Ｓ／厚紙（蓋体側）
得られたブリスターパック実施例１のシール面を剥離したところ、シール面ではＰＥＴ／ＰＥ界面（・）で剥離し、トレーフランジ部分のシール面ではＰＥ／トレーフランジ間で剥離し、紙とプラスチックトレーを奇麗に分別することができた。また、剥離後、蓋体１０に設けた絵柄も明瞭に視認できた。
［実施例２］
前記被覆材とする易剥離性積層体を作成するところまでは、同一材料、工程にて行ったが、実施例１と異なるところは、蓋体にも被覆材と同じ易剥離性積層体を使用したところである。そのため、蓋体側の易剥離性積層体を加工する際に、コートボール紙のラミネート面側に、印刷により絵柄を設けた。得られた包装体をブリスター包装体の実施例２とする。
シール面の層構成
（被覆材側）厚紙／ＰＥＴ１２／・／ＰＥ７／Ｓ／ＰＥ７／ＰＥＴ１２／厚紙（蓋体側）
トレーのフランジ部分のシール面の層構成
（被覆材側）厚紙／ＰＥＴ１２／・／ＰＥ７／トレーフランジ部／ＰＥ７／ＰＥＴ１２／厚紙（蓋体側）
得られたブリスターパック包装体の実施例２のシール面を剥離したところ、ＰＥＴ／ＰＥ界面で剥離し、トレーフランジ部分のシール面ではＰＥ／トレーフランジで剥離し、紙とトレーとを奇麗に分別することができた。また、剥離後、蓋体に設けた絵柄も明瞭に視認できた。
［比較例］
被覆材、蓋体共に、コートボール紙（坪量：４００ｇ／■）にヒートシール剤（酢酸ビニル系水性接着剤  サイデン化学株式会社製Ｓ３０３、塗布量１０ｇ／■）を塗布したコートボール紙（坪量４００ｇ／■）を用い、実施例と同様の、トレー、被覆材、蓋体からなる構造のブリスターパックを作成し、ブリスター包装体の比較例１とした。
＜シール面の層構成＞
（被覆材側）厚紙／ヒートシール剤／Ｓ／ヒートシール剤／厚紙（蓋体紙側）
＜トレーのフランジ部分のシール面の層構成＞
（被覆材側）厚紙／ヒートシール剤／トレーフランジ部／ヒートシール剤／厚紙（蓋体側）
得られたブリスターパック比較例１のシール面を剥離したところ、被覆材か蓋体のいずれかが紙剥けしてしまい、更に、トレーフランジ部分のシール面ではトレーフランジに紙が付着してしまい、紙とトレーとを完全に分別することができなかった。
【００１６】
【発明の効果】
フランジ部を形成したトレーに内容物を収納し、蓋体と被覆材とにより前記フランジ部を挟持した状態で、蓋体と被覆材とをヒートシールするブリスター包装において、被覆材の材質を易剥離性積層体としたことによって内容物の取出しが容易なブリスター包装体とすることができる。
また、開封が、被覆材の積層体の接着界面の剥離であるため、蓋体に設けられた印刷層が破壊されることなく印刷情報が見やすい包装体とすることができる。
【図面の簡単な説明】
【図１】本発明の易開封ブリスターの実施例を示す図で、（ａ）包装状態の斜視図、（ｂ）Ｘ1−Ｘ1部断面図、（ｃ）各部材を分離して示した図、（ｄ）Ｘ2−Ｘ2部断面図である。
【図２】被覆材の構造を示す断面図である。
【図３】本発明のブリスターを開封したときの剥離状態を説明するための、Ｙ部の拡大図であり、（ａ）開封前、（ｂ）開封時の状態を示す。
【図４】本発明の別のブリスター包装体を開封する時の剥離状態を説明するための、Ｙ部の拡大図であり、（ａ）開封前、（ｂ）開封時の状態を示す。
【図５】本発明の易開封ブリスター包装体の開封用つまみ部を説明する断面図である。
【図６】従来のブリスターの例を示す図であり、（ａ）斜視図、（ｂ）および（ｃ）は開封前、開封後のＸ3−Ｘ3部のそれぞれの断面図である。
【符号の説明】
Ｂ  易開封ブリスター
Ｐ  内容物
ＨＳ  ヒートシール部
Ｔ  開封用つまみ部
ＮＳ  非シール部
１、１’  トレー
２  凹部
３  フランジ部
４  フランジ部外縁
５  フランジ部内縁
６  損傷部
７  凝集破壊部
１０、１０’  蓋体
１１  外縁
２０、２０’  被覆材
２１  外縁
２２  内縁
３０  易剥離性積層体
３１  基材層
３２  有極性合成樹脂基材層
３３  無極性合成樹脂層
３４  印刷層
３５  表面処理
３６  接着剤層
３７  接着樹脂層
３８  剥離面
Ｂ’従来のブリスター包装体
１’トレー
３’フランジ部
７  凝集破壊部
１０’  被覆材
２０  ’被覆材
【図１】
0004478317.tif 000002
【図２】
0004478317.tif 000003
【図３】
0004478317.tif 000004
【図４】
0004478317.tif 000005
【図５】
0004478317.tif 000006
【図６】
0004478317.tif 000007